(57)【要約】【課題】嵩張りにくい状態で植栽マットを保管したり運搬したりできるようにする。【解決手段】植栽用植物１Ｃを生育自在に定着させてある植栽マット１を、支持基面上に間隔をあけた状態に支持自在な植栽マット支持具において、植栽マット１を載置自在な支持具本体Ｓ１を設け、支持具本体Ｓ１に備えた複数の脚部３を、植栽マット１の厚み寸法以上の長さに形成すると共に、支持具本体Ｓ１上に載置する植栽マット１の平面範囲内にそれぞれを位置させられる状態に形成してある。【選択図】　　　　図１
2004016016.tif 000002
【特許請求の範囲】
【請求項１】
植栽用植物を生育自在に定着させてある植栽マットを、支持基面上に間隔をあけた状態に支持自在な植栽マット支持具であって、
前記植栽マットを載置自在な支持具本体を設け、前記支持具本体に備えた複数の脚部を、前記植栽マットの厚み寸法以上の長さに形成すると共に、前記支持具本体上に載置する前記植栽マットの平面範囲内にそれぞれを位置させられる状態に形成してある植栽マット支持具。
【請求項２】
前記脚部の下端部に、前記植栽マットに突き刺し自在な突き刺し部を設けてある請求項１に記載の植栽マット支持具。
【請求項３】
前記脚部どうしの相対位置を変更自在な脚部位置変更手段を設けてある請求項１又は２に記載の植栽マット支持具。
【請求項４】
前記脚部は、前記支持具本体に対して折り畳み自在に取り付けてある請求項１〜３の何れか一項に記載の植栽マット支持具。
【請求項５】
前記支持具本体は、複数の帯板を枢支連結して構成してあり、前記帯板どうしは、枢支連結部で折り畳み可能に形成してある請求項１〜４の何れか一項に記載の植栽マット支持具。
【請求項６】
前記植栽マットを載置自在なトレー部を、前記支持具本体上に分離自在に設けてある請求項１〜５の何れか一項に記載の植栽マット支持具。
【請求項７】
植栽用植物を生育自在に定着させてある植栽マットの複数を、植栽マット支持具を介して厚み方向に間隔をあけた状態に支持してある植栽マット支持構造であって、
前記植栽マット支持具は、前記植栽マットを載置自在な支持具本体と、前記支持具本体に備えた複数の脚部とで構成してあり、下方の植栽マットの範囲内に、前記植栽マット支持具の脚部が位置する状態に植栽マット支持具を配置し、その上に、上方の植栽マットを載置させて支持してある植栽マット支持構造。
【発明の詳細な説明】
【０００１】
【発明の属する技術分野】
本発明は、植栽用植物を生育自在に定着させてある植栽マットを、例えば、複数まとめて保管したり、まとめたものを梱包したりするにあたり、支持基面上に各植栽マットを間隔をあけた状態に支持自在な植栽マット支持具に関すると共に、植栽用植物を生育自在に定着させてある植栽マットの複数を、植栽マット支持具を介して厚み方向に間隔をあけた状態に支持してある植栽マット支持構造に関する。
【０００２】
【従来の技術】
過去においては、植栽と言えば、下地の上に土を盛り、その盛土層に植物を植えると言った方法によって植栽を形成するのが一般的であったが、近年、建物の屋根や屋上等にも植栽を設けることが多くなり、それに伴って、植栽の軽量化が図られるようになってきた。その結果、上述のように、重量が大きくなり易い盛土層を設けるのに替えて、軽量の植栽マットが用いられるようになりつつある。この植栽マットは、例えば、図９に示すように、合成樹脂の繊維を編んで矩形のマット状に成形した母材マット１Ａに、土１Ｂを擦り込んで植栽用植物１Ｃの苗や種を植え付けたものである。
従来、この種の植栽マット１の複数を、例えば、保管や梱包する場合には、図に示すように、それぞれをただ重ねるだけであり、特別の植栽マット支持具が在るわけではなく、植栽マット支持構造としては、上に重なった植栽マット１の荷重が、その下方の植栽マット１に直接的に作用するように重ねられた構造をとっていた。
【０００３】
【発明が解決しようとする課題】
上述した従来の植栽マット支持技術によれば、積み重ねられた下方の植栽マットには、上載荷重が全面にわたって作用することとなり、多数の枚数を重ねる場合には、前記荷重も大きくなって植栽マットに定着させてある植栽用植物に悪影響をあたえる危険性がある。
従って、多数枚を重ねることが出来ず、植栽マットの保管や運搬時に広いスペースが必要となる問題点があった。
そこで、この問題点を解消できるようにするために、図１０に示すように、各植栽マット１を複数の棚２０に独立して支持させることが考えられる。又は、植栽マットの支持構造としては同様であるが、図１１に示すように、各段毎に別体の棚形成部材２１を形成し、その棚形成部材２１を複数積み上げて植栽マット１を各棚形性部材２１上に載置することが考えられる。
これによって、多数枚の植栽マットを支持する場合でも、それぞれの植栽マットは各別に棚で支持されるから、植栽マットを多数枚重ねても各植栽マットに大きな重量が作用しなくなり、植栽用植物への悪影響を緩和することができるようになる。
しかしながら、これらの植栽マット支持技術によっても、棚形成部材は、植栽マットの外形寸法より側方にはみ出した形にせざるを得ないから、植栽マットの保管や運搬時にまだ嵩張るといった問題点があった。
【０００４】
従って、本発明の目的は、上記問題点を解消し、嵩張りにくい状態で植栽マットを保管したり運搬したりできる植栽マット支持技術を提供するところにある。
【０００５】
【課題を解決するための手段】
請求項１の発明の特徴構成は、図１〜８に例示するごとく、植栽用植物１Ｃを生育自在に定着させてある植栽マット１を、支持基面上に間隔をあけた状態に支持自在な植栽マット支持具において、前記植栽マット１を載置自在な支持具本体Ｓ１を設け、前記支持具本体Ｓ１に備えた複数の脚部３を、前記植栽マット１の厚み寸法以上の長さに形成すると共に、前記支持具本体Ｓ１上に載置する前記植栽マット１の平面範囲内にそれぞれを位置させられる状態に形成してあるところにある。
【０００６】
請求項１の発明の特徴構成によれば、支持具本体に備えた複数の脚部を、植栽マットの厚み寸法以上の長さに形成すると共に、支持具本体上に載置する植栽マットの平面範囲内にそれぞれを位置させられる状態に形成してあるから、支持された植栽マットの平面範囲内に、前記脚部が位置する状態に植栽マット支持具を配置することができ、その植栽マット支持具上に別の植栽マットを載置する構造で植栽マットを支持することが可能となる。
即ち、縦方向に関しては、支持具本体の上方に支持する植栽マットの重量は、脚部で支持することができ、下方の植栽マットの局部には荷重が作用するものの、全面への大きな荷重の伝播は避けた状態での支持を叶えることができ、植栽マットへの悪影響を緩和した状態で多数枚の植栽マットを支持することができるものである。また、横方向に関しては、支持具本体の大きさは、植栽マットの平面範囲内に形成することができるから、植栽マットの側方に余分な支持範囲を必要とせず、嵩張らない状態に多数の植栽マットを支持することが可能となる。
従って、限られたスペースに、より多くの植栽マットを支持することができるようになり、植栽マットの保管効率や、運搬効率をより向上させることが可能となる。
更には、支持具本体と植栽マットとを交互に積み上げた状態での支持構造をとることが可能で、この場合、支持具本体で荷重を支持して自立することができるから、例えば、これらを梱包するにしても、梱包体そのものに植栽マットの荷重を負担させることがなく、段ボールやボール紙、合成樹脂シート等、強度の小さい薄い材料を梱包体として採用することができ、梱包作業を簡単に実施できるようになる。そして、梱包外形も最小とすることができる。
【０００７】
請求項２の発明の特徴構成は、図１に例示するごとく、前記脚部３の下端部に、前記植栽マット１に突き刺し自在な突き刺し部Ｙを設けてあるところにある。
【０００８】
請求項２の発明の特徴構成によれば、請求項１の発明による作用効果を叶えることができるのに加えて、植栽マット上に当該植栽マット支持具を設置するに当たり、前記突き刺し部が下方の植栽マットに突き刺さる状態に設置することができ、植栽マットと当該植栽マット支持具とが相対横ズレしにくい状態になり、安定性の高い設置状態を確保し易くなる。
【０００９】
請求項３の発明の特徴構成は、図１、図６に例示するごとく、前記脚部３どうしの相対位置を変更自在な脚部位置変更手段Ｘを設けてあるところにある。
【００１０】
請求項３の発明の特徴構成によれば、請求項１又は２の発明による作用効果を叶えることができるのに加えて、各脚部の平面位置を変更することが可能となり、より良好な位置に脚部を位置させることが可能となる。この良好な位置とは、例えば、植栽マット上に当該植栽マット支持具を載置する場合には、植栽マットに定着させた植栽用植物に脚部が干渉し難い位置を意味し、脚部による植栽用植物への悪影響を最小限にすることができるようになる。また、植栽マット以外の上に当該植栽マット支持具を載置する場合には、良好な位置とは、例えば、高さの等しい位置を意味し、各脚部の載置状態でのガタツキを抑え、支持安定性を向上させることができるようになる。
【００１１】
請求項４の発明の特徴構成は、図７に例示するごとく、前記脚部３は、前記支持具本体Ｓ１に対して折り畳み自在に取り付けてあるところにある。
【００１２】
請求項４の発明の特徴構成によれば、請求項１〜３の何れかの発明による作用効果を叶えることができるのに加えて、前記脚部を、前記支持具本体に対して折り畳んだ状態と、折り畳まない状態とに切り替えることが可能となり、例えば、前記脚部を折り畳まない状態にして植栽マットを支持したり、植栽マットを支持しない時（当該植栽マット支持具の回収時等）には、前記脚部を折り畳んだ状態にして嵩張りにくくすることが可能となる。
即ち、当該植栽マット支持具の収納・保管時や、植栽マットを運搬し終わった後の支持具の回収時には、脚部を折り畳んでコンパクトにし、省スペース化を図ることが可能となる。
【００１３】
請求項５の発明の特徴構成は、図１〜６に例示するごとく、前記支持具本体Ｓ１は、複数の帯板２を枢支連結して構成してあり、前記帯板２どうしは、枢支連結部２ａで折り畳み可能に形成してあるところにある。
【００１４】
請求項５の発明の特徴構成によれば、請求項１〜４の何れかの発明による作用効果を叶えることができるのに加えて、複数の帯板を枢支連結した支持具本体を、前記枢支連結部で折り畳んだ状態と、折り畳まない状態とに切り替えることが可能となり、例えば、前記支持具本体を折り畳まない状態にして植栽マットを支持したり、植栽マットを支持しない時（当該植栽マット支持具の回収時等）には、前記支持具本体を折り畳んだ状態にして嵩張りにくくすることが可能となる。即ち、当該植栽マット支持具の収納・保管時や、植栽マットを運搬し終わった後の支持具の回収時には、支持具本体を折り畳んでコンパクトにし、省スペース化を図ることが可能となる。
また、支持具本体の折り畳んだ状態においては、各帯板どうしが重なる状態に折り畳むことが可能となり、よりコンパクトに折り畳むことが可能となる。
【００１５】
請求項６の発明の特徴構成は、図１に例示するごとく、前記植栽マット１を載置自在なトレー部Ｓ２を、前記支持具本体Ｓ１上に分離自在に設けてあるところにある。
【００１６】
請求項６の発明の特徴構成によれば、請求項１〜５の何れかの発明による作用効果を叶えることができるのに加えて、前記トレー部の広い被載置面で植栽マットを受けることができ、安定した状態に植栽マットを支持することが可能となる。
また、撓み易い植栽マットを使用する場合でも、前記トレー部上に載置した状態で支持具本体上に載置する（又は、トレー部上に載置した状態のまま支持具本体上から取り去る）ことができ、植栽マットの取扱性を向上させることが可能となる。更には、横に開口を備えた梱包容器内に当該植栽マットを配置するに当たっては、容器内に配置した支持具本体の上に、植栽マットを載置したトレー部を横方向にスライドさせながら積み上げることができ、容器の内空部の上端部まで無駄なく植栽マットを収容することが可能となる。
【００１７】
請求項７の発明の特徴構成は、図１に例示するごとく、植栽用植物１Ｃを生育自在に定着させてある植栽マット１の複数を、植栽マット支持具Ｓを介して厚み方向に間隔をあけた状態に支持してある植栽マット支持構造において、前記植栽マット支持具Ｓは、前記植栽マット１を載置自在な支持具本体Ｓ１と、前記支持具本体Ｓ１に備えた複数の脚部３とで構成してあり、下方の植栽マット１の範囲内に、前記植栽マット支持具Ｓの脚部３が位置する状態に植栽マット支持具Ｓを配置し、その上に、上方の植栽マット１を載置させて支持してあるところにある。
【００１８】
請求項７の発明の特徴構成によれば、縦方向に関しては、支持具本体の上方に支持する植栽マットの重量は、脚部で支持することができ、下方の植栽マットの局部には荷重が作用するものの、全面への大きな荷重の伝播は避けた状態での支持を叶えることができ、植栽マットへの悪影響を緩和した状態で多数枚の植栽マットを支持することができるものである。また、横方向に関しては、植栽マットの側方に余分な支持範囲を設けない嵩張らない状態で、多数の植栽マットを支持することが可能となる。
従って、限られたスペースに、より多くの植栽マットを支持することができるようになり、植栽マットの保管効率や、運搬効率をより向上させることが可能となる。
更には、支持具本体と植栽マットとを交互に積み上げた状態での支持構造をとる場合、支持具本体で荷重を支持して自立することができるから、例えば、これらを梱包するにしても、梱包体そのものに植栽マットの荷重を負担させることがなく、段ボールやボール紙、合成樹脂シート等、強度の小さい薄い材料を梱包体として採用することができ、梱包作業を簡単に実施できるようになる。そして、梱包外形も最小とすることができる。
【００１９】
尚、上述のように、図面との対照を便利にするために符号を記したが、該記入により本発明は添付図面の構成に限定されるものではない。
【００２０】
【発明の実施の形態】
以下に本発明の実施の形態を図面に基づいて説明する。尚、図面において従来例と同一の符号で表示した部分は、同一又は相当の部分を示している。
【００２１】
図１は、本発明の植栽マット支持具の一実施形態品（以後、単にマット支持具と言う）Ｓを介して、複数の植栽マット１を支持してある状況を示すものである。
【００２２】
前記植栽マット１は、本実施形態においては合成樹脂の繊維を編んで矩形のマット状に成形した母材マット１Ａに、土１Ｂを擦り込んで植栽用植物１Ｃの苗や種を植え付けて構成してあるものを例示している。
この植栽マット１を、図には示さないが、例えば、屋根上や屋上に敷設することで、屋上緑化を図ることが可能となる。
【００２３】
前記マット支持具Ｓは、図１〜４に示すように、折り畳み自在に形成された支持具本体Ｓ１と、その支持具本体Ｓ１上に載置自在に形成されたトレー部Ｓ２とを設けて構成してある。
そして、通常の使用形態は、図に示すように、トレー部Ｓ２の上に植栽マット１を載せ、その植栽マット１の上に、前記支持具本体Ｓ１を広げた状態に位置させ、その上に前記トレー部Ｓ２が位置し、トレー部Ｓ２上に植栽マット１が位置すると言った繰り返しの載置構造で使用される。また、植栽マット１を支持させない場合には、例えば、図４に示すように、支持具本体Ｓ１は、それぞれ折り畳むと共に、トレー部Ｓ２は、それぞれを重ねることで、全体とした嵩をひくくした状態にでき、収納スペースの低減化を図ることができる。
【００２４】
前記支持具本体Ｓ１は、２枚の帯板２を、その中央部分で枢支連結して構成してあり、各帯板２の両端部には、それぞれ脚部３を設けてある。
前記帯板２は、例えば、木や合成樹脂や金属で形成することができる。そして、２枚の帯板２それぞれの中央部の枢支連結部２ａ、及び、両帯板２の両端部の脚部取付部２ｂには、それぞれ表裏に貫通する状態にボルト挿通孔ｈが形成してある（図２参照）。
前記枢支連結部２ａは、図に示すように、両帯板２を、中央部のボルト挿通孔ｈが上下で重なるように配置した状態で、拡径頭部４ａが上端に位置するように向けたボルト４を前記両ボルト挿通孔ｈに貫通させ、ボルト下端部４ｂ側からナット５を螺合させて締め付け、両帯板２を拡径頭部４ａとナット５とで上下から挟み込むように連結して構成してある。従って、両帯板２は、前記ボルト４による枢支軸心周りに相対揺動自在に連結されている。両帯板２どうしが直交（又はほぼ直交）する状態に広げることで、その上に前記トレー部Ｓ２を支持する準備が出来る。一方、両帯板２どうしが重なる（又はほぼ重なる）状態に折り畳むことで、コンパクトな状態となり収納し易くなる。
また、枢支連結部２ａを中心にして両帯板２同士を相対的に揺動させることによって両帯板２の脚部３どうしの相対位置を変更することができ、好ましい位置に脚部３の位置変更を行うことが可能となる。当該実施形態においては、枢支連結部２ａによって脚部位置変更手段Ｘが構成されている。
前記脚部取付部２ｂは、前記枢支連結部２ａと同様に、ボルト挿通孔ｈに対して、前記ボルト４を、拡径頭部４ａが上端に位置するように貫通させ、ボルト下端部４ｂ側からナット５を螺合させて締め付け、ボルト挿通孔ｈ周りの部分をボルト拡径頭部４ａとナット５とで上下から挟み込むようにして構成してある。
従って、当該実施形態においては、前記枢支連結部２ａ、及び、４つの脚部取付部２ｂにそれぞれ取り付けてあるボルト４が脚部３を構成することとなる。
因みに、前記帯板２の長さ寸法は、前記植栽マット１の対角線の長さ寸法より短い寸法に設定してあり、それに伴って、前記脚部３を、植栽マット１の平面範囲内にそれぞれを位置させることができるものである（図２、図３参照）。また、脚部３の長さ寸法は、植栽マット１の厚み寸法以上の長さに設定してあり、それに伴って、植栽マット１上に当該マット支持具Ｓを載置した状態では上載荷重は脚部３からのみ植栽マット１に伝わり、他の部分に定着させてある植栽用植物１Ｃに鉛直荷重が作用するのを防止し、悪影響が及び難いようにすることができるものである（図１参照）。
尚、前記脚部４を形成する各ボルト４は、軸部分が植栽マット１の繊維隙間寸法に比べて小径であることから、植栽マット１上に載置した状態では、植栽マット１にボルト下端部４ｂが突き刺さる状態となり、植栽マット１と支持具本体Ｓ１の位置ずれ防止を図れると共に、脚部３による植栽マット１への荷重伝達範囲を極めて小さなものとでき、植栽用植物１Ｃへの荷重の作用による悪影響が及び難いようにすることができるものである。
当該実施形態においては、前記ボルト下端部４ｂを突き刺し部Ｙと言う。
【００２５】
前記トレー部Ｓ２は、前記植栽マット１とほぼ同様の矩形形状に形成した板状体で構成してある。材質は、前記支持具本体と同様に、木や合成樹脂や金属で形成することができる。
【００２６】
当該マット支持具Ｓを複数の植栽マット１間にそれぞれ介在させて支持してある植栽マット支持構造は、前述のとおりであるが、これらを梱包してある状況を、例を挙げて説明する。
図５（イ）は、例えば、段ボール等の箱６内に上の開口部６ａから、順次、トレー部Ｓ２、植栽マット１、支持具本体Ｓ１を入れて積層させてある状態を示している。
箱６には、植栽マット１への空気の流通を促進することが可能な通気孔６ｂを複数個所に設けてある。
図５（ロ）は、同様の箱６を、開口部６ａが横向きとなる状態で使用している例を示すものである。この場合は、トレー部Ｓ２、植栽マット１、支持具本体Ｓ１の順で箱６内に入れてあり、支持具本体Ｓ１上に、横からトレー部Ｓ２をスライドさせながら設置することができる。
【００２７】
当該実施形態の植栽マット支持技術によれば、支持された植栽マット１の平面範囲内に、前記脚部３が位置する状態にマット支持具Ｓを配置することができ、そのマット支持具Ｓ上に別の植栽マット１を載置する構造で植栽マット１を支持することが可能となる。
そして、植栽マットへの悪影響を緩和した状態で多数枚の植栽マットを支持することができると共に、植栽マットの側方に余分な支持範囲を必要とせず、嵩張らない状態に多数の植栽マットを支持することが可能となる。
従って、限られたスペースに、より多くの植栽マットを支持することができるようになり、植栽マットの保管効率や、運搬効率をより向上させることができ、且つ、梱包するに当たっても、梱包体そのものに植栽マット１の荷重を負担させることがなく、段ボールやボール紙、合成樹脂シート等、強度の小さい薄い材料を梱包体として採用することができ、梱包作業を簡単に実施できるようになる。そして、梱包外形も最小とすることができる。
【００２８】
〔別実施形態〕
以下に他の実施の形態を説明する。
【００２９】
〈１〉　前記植栽マット１は、先の実施形態で説明した合成樹脂の繊維を編んで矩形のマット状に成形した母材マット１Ａに、土１Ｂを擦り込んで植栽用植物１Ｃの苗や種を植え付けて構成してあるものに限るものではなく、例えば、母材マットとして、合成樹脂の繊維材から構成した不織マットを採用するものでもよい。更には、母材マットを使用せずに、土と生育した植栽用植物の根がらみ効果によって一体となったものでもよく、それらを総称して植栽マットと言う。
〈２〉　前記突き刺し部Ｙは、先の実施形態で説明した通常のボルト下端部４ｂに限るものではなく、例えば、ボルト以外の脚部３であっても、下端部を小径としたり、尖らせるようにしてもよく、それらを総称して突き刺し部と言う。
〈３〉　前記脚部位置変更手段Ｘは、先の実施形態で説明した枢支連結部２ａに限るものではなく、例えば、図６に示すように、支持具本体Ｓ１に対する脚部３の取付位置を、例えば、スライド機構等を設けて変更できるように構成することも可能である。それらを含めて脚部位置変更手段Ｘという。
〈４〉　前記支持具本体Ｓ１に対する脚部３の取付状態は、先の実施形態で説明したように固定に限るものではなく、例えば、図７に示すように、折り畳み自在な状態に取り付けるものであっても良い。また、その場合の、折り畳み自在な取付構造は、図に示す枢支構造に限らず、適宜公知の構造を採用することが可能である。
〈５〉　前記支持具本体Ｓ１は、先の実施形態で説明した２枚の帯板２を備えて構成してあるものに限るものではなく、例えば、３枚以上の帯板で構成したり、一枚の平板で構成することも可能である。従って、必ずしも折り畳み自在な構造でなくてもよく、仮に、折り畳み自在な構造を採用する場合でも、帯板どうしを枢支する構造以外の対応をとることも可能である。
また、植栽マット支持具そのものは、先の実施形態で説明した支持具本体Ｓ１とトレー部Ｓ２とに分離した形態に限るものではなく、両者が一体となったものであっても良い。
また、図８に示すように、一枚の植栽マット１に対して、複数の植栽マット支持具Ｓを点在状態に配置して支持することも可能で、この場合は、植栽マット支持具Ｓの単体の大きさをコンパクトにすることができるから、取扱性の向上や、運搬回収等の際の省スペース化を図ることが可能となる。
【図面の簡単な説明】
【図１】植栽マットの支持状況を示す断面図
【図２】植栽マット支持具を示す分解斜視図
【図３】植栽マットの支持状況を示す斜視図
【図４】支持具本体を折り畳んだ状態を示す斜視図
【図５】植栽マットの梱包状態を示す斜視図
【図６】別実施形態の植栽マット支持具を示す斜視図
【図７】別実施形態の植栽マット支持具を示す斜視図
【図８】別実施形態の植栽マット支持具を示す斜視図
【図９】従来の植栽マットの載置状態を示す断面図
【図１０】従来考えることができる植栽マット支持状況を示す断面図
【図１１】従来考えることができる植栽マット支持状況を示す断面図
【符号の説明】
１　　　植栽マット
１Ｃ　　植栽用植物
２　　　帯板
２ａ　　枢支連結部
３　　　脚部
Ｓ　　　植栽マット支持具
Ｓ１　　支持具本体
Ｓ２　　トレー部
Ｘ　　　脚部位置変更手段
Ｙ　　　突き刺し部
【図１】
2004016016.tif 000003
【図２】
2004016016.tif 000004
【図３】
2004016016.tif 000005
【図４】
2004016016.tif 000006
【図５】
2004016016.tif 000007
【図６】
2004016016.tif 000008
【図７】
2004016016.tif 000009
【図８】
2004016016.tif 000010
【図９】
2004016016.tif 000011
【図１０】
2004016016.tif 000012
【図１１】
2004016016.tif 000013